(57)【要約】      （修正有）【課題】高さ調整の操作性に優れ、短時間で調整作業ができる脚柱長さ調整装置を提供する。【解決手段】一側面に切り欠き又は孔を有するパイプ状の下支柱１０と、下支柱の軸線方向に沿ってスライド自在に挿入され一側面に孔又は凹部を有する上支柱２０と、下支柱の開口端又は近傍に装着される固定具３０とからなる。固定具は下支柱に固定される支柱ブッシュ３１と支柱ブッシュに軸支された回動可能な固定レバー３５とを備え、固定レバーには回転可能なロックボタンを設け、支柱ブッシュにはロック嵌合部を設けてなる。【選択図】図１
0003163654.tif 000002
【実用新案登録請求の範囲】
【請求項１】
一側面に切り欠き又は孔を有するパイプ状の下支柱と、前記下支柱の軸線方向に沿ってスライド自在に挿入され一側面に孔又は凹部を有する上支柱と、下支柱の開口端又は近傍に装着される固定具とからなる机等における脚柱長さ調整装置において、前記固定具は下支柱に固定される支柱ブッシュと前記支柱ブッシュに軸支された回動可能な固定レバーとを備えたことを特徴とする机等における脚柱長さ調整装置。
【請求項２】
前記固定レバーは内側に膨出したヘッド部を有することを特徴とする請求項１記載の机等における脚柱長さ調整装置。
【請求項３】
前記膨出したヘッド部と上支柱との間に固定パーツが介在されてなることを特徴とする請求項１又は請求項２項に記載の机等における脚柱長さ調整装置。
【請求項４】
前記固定レバーの内側には上支柱に嵌合可能な突起が設けられてなることを特徴とする請求項１から３のいずれか１項に記載の机等における脚柱長さ調整装置。
【請求項５】
前記固定レバーには回転可能なロックボタンを設け、支柱ブッシュにはロック嵌合部を設けてなることを特徴とする請求項１から４のいずれか１項に記載の机等における脚柱長さ調整装置。
【考案の詳細な説明】
【技術分野】
【０００１】  本考案は、学習用の机や椅子等において、天板や座の高さを調整するための机等における脚柱長さ調整装置に関するものであり、特に、学校などで用いられる机や椅子の高さ調整装置に関する。
【背景技術】
【０００２】  従来の学校で用いられる机や椅子において、脚柱をパイプ状の下支柱と、その下支柱にスライド自在に挿入したパイプ状の上支柱とで構成し、上支柱を下支柱に対して所望のスライド位置に固定することにより、天板や座の高さを使用者に合わせて自在に調整できるようにしたものがある。【０００３】  このような高さ調整装置において、上下両支柱内に配置される内金具が、ボルト固定部に対応して配置されるボルト止め金具と、その金具の背面側に配置される支持金具とを有する。そしてボルトを、外金具に挿通されてボルト止め金具に貫通状に締結した際に、ボルト止め金具及び外金具が上下両支柱を内外両側から挟圧する同時に、支持金具が、ボルトの軸部先端によって押し込まれて上支柱の内面に圧接することにより、上支柱が下支柱に対し固定されるよう構成される。【０００４】  しかし、従来の高さ調整装置ではボルトを用いて固定を行なう構成であるため、高さ調整時に時間を要するものとなってしていた。一脚だけの作業時間は大きくないが、高さ調整は通常一脚だけでなく複数脚行なわれることが多いため、作業者の作業時間は総合すると大きくなってしまう。
【特許文献１】
【０００５】  特開２００２−１７４５４
【考案の開示】
【考案が解決しようとする課題】
【０００６】  本考案は、上記の事情に鑑みてなされたもので、高さ調整の操作性に優れ、短時間で調整作業ができる脚柱長さ調整装置を提供することを目的とする。
【課題を解決するための手段】
【０００７】  前記課題を解決するため請求項１記載の考案にあっては、一側面に切り欠き又は孔を有するパイプ状の下支柱と、前記下支柱の軸線方向に沿ってスライド自在に挿入され一側面に孔又は凹部を有する上支柱と、下支柱の開口端又は近傍に装着される固定具とからなる机等における脚柱長さ調整装置において、前記固定具は下支柱に固定される支柱ブッシュと前記支柱ブッシュに軸支された回動可能な固定レバーとを備えてなる。【０００８】  請求項２記載の考案にあっては、固定レバーは内側に膨出したヘッド部を有する。【０００９】  請求項３記載の考案にあっては、膨出したヘッド部と上支柱との間に固定パーツが介在されてなる。【００１０】  請求項４記載の考案にあっては、固定レバーの内側には上支柱に嵌合可能な突起が設けられてなる。【００１１】  請求項５記載の考案にあっては、固定レバーには回転可能なロックボタンを設け、支柱ブッシュにはロック嵌合部を設けてなる。
【考案の効果】
【００１２】  本考案によれば、高さ調整の操作性に優れ、短時間で調整作業ができる脚柱長さ調整装置の提供が可能となる。
【考案を実施するための最良の形態】
【００１３】  以下、本考案の一実施形態を図に従って説明する。図１は本考案の机等における脚柱長さ調整装置の斜視図（ロック状態）であり、図２は図１の別角度から見た斜視図である。図３は本考案の机等における脚柱長さ調整装置の斜視図（移動作業状態）であり、図４は図３の別角度から見た斜視図である。図５は本考案の机等における脚柱長さ調整装置を固定具で切断した断面図（ロック状態）であり、図６は本考案の机等における脚柱長さ調整装置を固定具で切断した断面図（開放状態）である。図７は本考案の机等における脚柱長さ調整装置の固定具部分を縦に切断した断面図（ロック状態）であり、図８は本考案の机等における脚柱長さ調整装置の固定レバーの分解斜視図である。図９は本考案の机等における脚柱長さ調整装置の固定レバーを別角度から見た分解斜視図であり、図１０は本考案の机等における脚柱長さ調整装置の下支柱と上支柱の関係図である。【００１４】  （第一の実施形態）
図１から図４に示すように、本考案の脚柱長さ調整装置は、床側に載置される下支柱１０と天板や座側に載置される上支柱２０と下支柱に装着される固定具３０とからなる。【００１５】  下支柱は下側に水平方向に延びる脚部（図示なし）を有し、下支柱は脚部に対してほぼ垂直に配置され、一側面に切り欠き又は孔を有するパイプ状の支柱である。加えて、下支柱は対向する長手側面が直線状で、短手側面が曲線状となった丈夫な長円形形状の金属製管状部材である。なお、下支柱の下部に脚部を設けずに下支柱を直接接地する脚として用いて家具（机、椅子など）とすることも可能である。【００１６】  下支柱には、一方の長手側面上端に切り欠き部又は端部から内側に位置する孔が設けてあり、後述する固定レバー３５の突起３６を避けるように構成されている。下支柱の軸線方向の孔には、上支柱がスライド自在に配置され、上支柱と下支柱はそれぞれの軸線方向に沿って配置されている。【００１７】  下支柱の上部開口端には固定具が装着されている。固定具は金属又は樹脂で作られた部材で、下支柱開口端に上方から被せられる。固定具は支柱ブッシュ３１と支柱ブッシュに軸支された固定レバー３５および弾性部材からなる固定パーツ４０とからなっている。【００１８】  支柱ブッシュは支柱と同様に直線状長手側面３１８を有する長円形形状の部材であり、支柱ブッシュの一方の面（内面）となる長手側面から短手側面に対して固定レバー３５を格納可能な一段下がった段部３３が構成されていて、その段部の中であって長手側面上方には支柱ブッシュ３１の一方の面を貫通する略矩形のブッシュ孔３１０が設けられている。（図３）そして、その段部の中であって長手側面中央付近には円形を基本形状としたロック嵌合部となるロック孔３２が設けられている。そして、ロック孔の上下方向中央の直径方向両端には２つの切り欠き部３２２が設けてある。支柱ブッシュの他方の面（外側）にはネジ穴が設けてあり、支柱ブッシュを下支柱に装着した状態でネジによって固着している。【００１９】  そして、支柱ブッシュには図７に示すように、内側（支柱側）への折り返し部３１２を設けてあり、外周側面から水平部３１５を経て折り返し部３１２を形成し、折り返し部の内側である先端近傍には高さ位置決め凸部３１３が弾性を有した状態で設けられている。【００２０】  なお、支柱ブッシュを開口端に装着した例を説明したが、下支柱の途中に支柱ブッシュを固着して設けることも可能である。また、支柱ブッシュ短手側面には、支柱ブッシュ軸受け３１１が設けてあり、固定レバー３５を開閉可能に軸支している。【００２１】  固定レバーは金属又は樹脂で作製された直線状長手側面３５９を有する両端が湾曲したプレート状操作片３５０で、一端部に設けられた固定レバー軸孔３５１に軸ピン３５２を挿通した状態で支柱ブッシュ軸受けに開閉可能に結合される。そして閉鎖状態ではブッシュの段部３３に収容され、ブッシュの外周とほぼ面一の厚さとなるように設定されている。【００２２】  固定レバー軸孔外周には異型の肉厚（軸からの外周までの厚み）となるヘッド３７が設けてある。ヘッドは固定レバーの内側に膨出した膨出部３７１を有しており、そこから連なる直線状部３７２を��て外周に至る。（図５、図６参照）【００２３】  つまり、固定レバーが閉鎖されたときは膨出部３７１によって支柱側に押圧力が作用し、固定レバーが開放状態のときは膨出部が移動して、肉薄な直線状部３７２が１〜５ミリ程度の距離を置いて上支柱と対向するので、上支柱は押圧が解除され移動可能となる。【００２４】  固定レバーのヘッド外周には、上下方向に２〜７ミリ程度の幅で突条３８が設けられている。そして、この突条によって固定レバーの開き過ぎを防止できるようになっている。即ち固定レバーを開放していくと突条３８がブッシュ段部３３の終端縁３３２に当接し、それ以上の開放が抑制される。（図６参照）この突条によって、固定レバーが開放し過ぎて再度ヘッドによって押圧され、再固定されるトラブルを防止できる。【００２５】  膨出したヘッド部と上支柱の間には厚みのある弾性固定パーツ４０を介在させることもできる。固定パーツは一方が樹脂、他方がゴムからなる複合材やラバー、弾性のある樹脂などを用いることができる。固定パーツの厚みは３〜２０ミリ程度の厚みの部材で下支柱の切り欠き部や開口した孔に保持されている。【００２６】  加えて、固定レバーには内側に上支柱と嵌合する突起を設けてある。突起の形状は断面が楕円形となる先端に向かって小さくなる錐体である。（図８、図９参照）
突起の形状はその他に円柱、横長形状や縦長形状の四角柱、楕円の柱体、などの形状とすることが可能であるが、強度面と上支柱孔２１への挿入のしやすさといった点で、本実施例で開示したような、断面が楕円形となる先端に向かって小さくなる錐体が優れている。【００２７】  また、図８，９に示すように固定レバーの直線状部３５９には円形の孔が設けられており、その孔に対して表面、裏面側から円形のロックボタン３９が装着される。ロックボタンの装着されるロックボタン孔３５４の周辺には９０度離れた位置に２つ三角形の表示部３５０１，３５０２が設けられている。ロックボタンは操作片３９３と係合片３９４とからなり操作片には表面に１０円玉などの硬貨が挿入可能な溝３９１と三角の表示部３９２が設けられている。そして、裏面側となる係合片３９４にはロック片３９７が設けてある。【００２８】  上支柱２０は一側面に孔または凹部を有する下支柱の軸線方向に沿ってスライド自在な支柱である。上支柱は下支柱と同様に直線状の長手側面を有する長円形形状の支柱で、一方（内面側）の直線状部分（上支柱長手側面）に楕円形の上支柱孔２１が等間隔に穿設されている。本実施例では１０個の上支柱孔を設けることができる。また、上支柱孔の上部又は下部にはガイドとなる数字が記載されている。【００２９】  上支柱の他方（外面側）の直線状部分（上支柱長手側面）には前記の上支柱孔と対応する高さに同数の上支柱高さ位置決め凹部２２が等間隔で設けられている。（図７）こちらの上支高さ位置決め凹部の上部又は下部にもガイドとなる同様の数字が記載されている。【００３０】  なお、上支柱に設けた上支柱孔は固定レバーに設けた突起形状に対応した形とすることができ、円柱、横長形状や縦長形状の四角柱、楕円の柱体、などの形状とすることが可能であるし、一方の直線状部分に孔を開けない凹部とすることもできる。【００３１】  また、上支柱は中空なパイプ状でも中身が詰まった中実なパイプでも構わない。【００３２】  以上の構成において椅子の高さを調整（脚柱長さを縮める）する場合は、まず固定具に設けられたロックボタン３９を硬貨で回転させて、椅子の左右２ヶ所の脚柱に設けられた固定レバーのロックを解除する。【００３３】  ロックボタンの表示部３９２が固定レバーにおける一方の三角表示（１）：３５０１から他方の三角表示（２）：３５０２まで移動するように、硬貨でロックボタンの操作片３９３を約９０度回転させる。その動作によってロックボタンの反対側係合片３９４に設けられた２つのロック片３９７が支柱ブッシュ３１に設けられたロック穴３２の切り欠き部３２２に位置し係合部３２１から解除されロックが解除される。【００３４】  続いて、固定レバー３５の開放端３５３を指でつまんで軸３００を中心に固定レバーを開放する。ここまでの動作を左右一対の脚柱で行ない、上支柱と下支柱の上下方向への移動が許容された状態とする。このとき一体となっている上支柱と椅子の座面と背板等の上方部材は支柱ブッシュ３１の折り返し部３１２に設けられた高さ位置決め凸部３１３の弾性によって係合された状態となっているので、上支柱などの上方部材は落下せずに下支柱と固定具に保持されている。【００３５】  次に、一体となっている上支柱などの上方部材を地面側に押し込み長さを縮める。（伸ばす場合は引出す）上記で説明したように、上支柱などの上方部材は高さ位置決め凸部３１３の弾性のみで保持された状態となっているため軽い操作で容易に上支柱などの上方部材を上下にスライドすることができ所望の高さに調整できる。さらに高さ位置決め凸部３１３の弾性が作用しているため、移動した長さ（位置）でも一旦、仮状態で保持される。そのため移動作業時の操作性が格段に向上する。【００３６】  なお、上支柱２０には数字の表示部２１１が記載されているので、表示部を目安として長さを調整することができる。【００３７】  所望の高さにスライドした後、再び固定レバー３５を軸３００を中心に回転させて閉鎖する。この状態で、上記に様に高さ位置決め凸部で上支柱などの上方部材を保持し、なおかつ固定レバーに設けた突起３６で二重に固定される。（図７参照）【００３８】  突起３６は図５、図９に示すように先端に向かって細くなる断面台形な錐体形状をしている。その突起が支柱ブッシュのブッシュ孔３１０と下支柱に設けられた下支柱切り欠き又は開口した孔を通過し、上支柱に設けられた楕円形状の上支柱孔２１と嵌合する。この構成により上支柱などの上方部材は安定的に固定される。【００３９】  なお、本実施の形態では固定レバー３５の内側に突起３６を１つだけ設けた例を開示したが、固定レバーの内側には上下、左右などに２つ以上の突起を複数設けてもよい。その場合には突起による固着が突起の個数に応じて得られるため、より強固に支柱を固着することが可能となる。【００４０】  加えて、固定レバー他端には軸の外周に内側に膨出したヘッド部が設けられている。ヘッド部は固定レバーを閉鎖した状態で支柱側に膨出した膨出部３７１と、そこから連なる直線状部３７２を有している。つまり異型のヘッドを有しているので、固定レバーを閉鎖した状態ではヘッドが固定パーツ（ゴムと樹脂）を押圧し上支柱を締め付け、又は上支柱を直接締め付け（固定パーツを用いない場合）上支柱が移動できないように、より強固に固定する。つまり、固定レバーの閉鎖によって、突起による固定（１）とヘッドの押圧による固定（２）の２つの固定が同時にでき、２つの固定が協同して頑丈で安定した結合を実現できる。【００４１】  一方、固定レバーの開放状態ではヘッドの直線状部は軸からの距離が短く設定されている（薄肉）ので、直線状部が固定パーツ又は上支柱と数ミリの距離を隔てて位置することとなり、固定レバーによって上支柱は押圧ない状態となる。【００４２】  その後、前述のロック解除と逆の動作によりロックボタンを再び閉鎖状態に移動させ（９０度回転させ）固定レバーが不用意に開放しないようロックされる。固定レバーのロックボタン孔３５４の一段下がった部分には約９０度離れた位置に円形凹部３５５が設けられており、端部に到達したときに係合突起３９６が円形凹部に落下し操作感を得られるようにしてある。また、固定レバーには、さらに９０度の段部が形成されていて操作片３９３のガイド片３９５がロックボタンを９０度の間で移動できるように規制している。これだけの操作で簡単に長さ調整作業が行なえる。【００４３】  以上のように��考案では、高さ調整の操作性に優れ、短時間で調整作業ができた。【００４４】  以上、本実施の形態では椅子の例で説明したが机など他の家具でも上支柱のピッチが相違するだけで、基本的な構成と動作は同様となる。また、本実施の形態では、突起を１つだけとしているため、ピッチの違う家具であっても、固定具３０の部材を共用して用いることができ経済的である。また場合によっては、本実施の形態の突起による固定をヘッドを用いずに、ヘッドの押圧による固定と、ロックボタンによる開き止め防止構造だけで机等における脚柱長さ調整装置を実現しても構わない。
【図面の簡単な説明】
【図１】は本考案の机等における脚柱長さ調整装置の斜視図（ロック状態）である。
【図２】は図１の別角度から見た斜視図である。
【図３】は本考案の机等における脚柱長さ調整装置の斜視図（作業状態）である。
【図４】は図３の別角度から見た斜視図である。
【図５】は本考案の机等における脚柱長さ調整装置を固定具で切断した断面図（ロック状態）である。
【図６】は本考案の机等における脚柱長さ調整装置を固定具で切断した断面図（開放状態）である。
【図７】本考案の机等における脚柱長さ調整装置の固定具部分を縦に切断した断面図（ロック状態）である。
【図８】本考案の机等における脚柱長さ調整装置の固定レバーの分解斜視図である。
【図９】本考案の机等における脚柱長さ調整装置の固定レバーの別角度から見た分解斜視図である。
【図１０】本考案の机等における脚柱長さ調整装置の下支柱と上支柱の関係図である。
【符号の説明】１          脚柱
１０        下支柱
１１        下支柱孔
１２        下支柱切り欠き
２０        上支柱
２１        上支柱孔
２２        上支柱高さ位置決め凹部
２３        上支柱長手側面
２４        上支柱短手側面
２５        上支柱スライダー（終端部材）
３０        固定具
３１        支柱ブッシュ
３１０      ブッシュ孔
３１１      支柱ブッシュ軸受け
３１２      折り返し部
３１３      高さ位置決め凸部
３２        通孔
３２        ロック孔
３２１      係合部
３３        段部
３４        ネジ穴
３５        固定レバー
３５０      操作片
３５０１    表示１
３５０２    表示２
３５１      固定レバー軸孔
３５２      軸ピン
３５３      開放端
３５４      ロックボタン孔
３６        突起
３７        ヘッド
３７１      膨出部（ヘッド）
３７２      直線状部（ヘッド）
３８        突条
３５９      直線状部（レバー）
３９        ロックボタン
３９１      溝
３９２      表示部
３９３      操作片
３９４      係合片
３９５      ガイド片
３９５      ガイド片
３９７      ロック片（突片）
４０        固定パーツ
【図１】
0003163654.tif 000003
【図２】
0003163654.tif 000004
【図３】
0003163654.tif 000005
【図４】
0003163654.tif 000006
【図５】
0003163654.tif 000007
【図６】
0003163654.tif 000008
【図７】
0003163654.tif 000009
【図８】
0003163654.tif 000010
【図９】
0003163654.tif 000011
【図１０】
0003163654.tif 000012
【手続補正書】
【提出日】平成22年7月28日(2010.7.28)
【手続補正１】
【補正対象書類名】図面
【補正対象項目名】図２
【補正方法】変更
【補正の内容】
【図２】
0003163654.tif 000013